(57)【要約】【課題】  医用画像データの重複インポートを防ぐ。【解決手段】  医療用画像管理システム22に医用画像データをインポートする画像入力装置21は、インポート処理する医用画像データが記録されたメディア13のコンテンツが、以前インポート処理したメディアのコンテンツと同一か否かを判定する。メディア13から読み込んだ医用画像データの付帯情報に、以前インポート処理した医用画像データの検査情報に一致する検査情報があるか否かを判定する。メディア13に格納された医用画像データのシリーズを医療用画像管理システム22が管理しているか否かを判定する。そして、三つの判定の結果に基づきインポート処理を実行する。【選択図】  図2
2015099561.tif 000002
【特許請求の範囲】
【請求項１】
医療用画像管理システムに医用画像データをインポートするための画像入力装置であって、
インポート処理する医用画像データが記録されたメディアのコンテンツが、以前インポート処理したメディアのコンテンツと同一か否かを判定する第一の判定手段と、
前記インポート処理する医用画像データが記録されたメディアから読み込んだ医用画像データの付帯情報に、以前インポート処理した医用画像データの検査情報に一致する検査情報があるか否かを判定する第二の判定手段と、
前記インポート処理する医用画像データが記録されたメディアに格納された医用画像データのシリーズを前記医療用画像管理システムが管理しているか否かを判定する第三の判定手段と、
前記第一から第三の判定手段の判定の結果に基づき前記インポート処理を実行する制御手段とを有する画像入力装置。
【請求項２】
前記第一の判定手段は、前記インポート処理する医用画像データが記録されたメディアのコンテンツからハッシュ値を計算し、前記ハッシュ値を含むメディア情報に基づき履歴データベースを検索することで前記判定を行う請求項1に記載された画像入力装置。
【請求項３】
前記第一の判定手段は、前記履歴データベースから前記メディア情報を検出しなかった場合、前記メディア情報を前記履歴データベースに記録する請求項2に記載された画像入力装置。
【請求項４】
前記第一の判定手段は、前記履歴データベースから前記メディア情報を検出した場合、警告を発し、前記インポート処理の継続の可否の指示を入力するためのユーザインタフェイスを提供する請求項2または請求項3に記載された画像入力装置。
【請求項５】
さらに、前記付帯情報に基づき、前記インポート処理する医用画像データが記録されたメディアからインポートする医用画像データの検査とシリーズをリストしたインポートリストを作成する作成手段を有し、
前記第二の判定手段は、前記インポートリストの検査ごとに、検査、シリーズおよびシリーズの画像数に関する情報からハッシュ値を計算し、前記ハッシュ値に基づき履歴データベースを検索することで前記判定を行う請求項1に記載された画像入力装置。
【請求項６】
前記第二の判定手段は、前記履歴データベースから前記ハッシュ値に一致する履歴を検出した場合、前記ハッシュ値の検査に対応する前記インポートリストのインポートフラグをリセットして、前記検査に対応する医用画像データのインポートを禁止する請求項5に記載された画像入力装置。
【請求項７】
前記第三の判定手段は、前記インポートリストの、前記インポートフラグがセット状態の検査に含まれるシリーズごとに、処理対象のシリーズの情報を前記医療用画像管理システムに照会し、
前記医療用画像管理システムから返される照会結果に含まれる検査情報およびシリーズ情報と前記処理対象のシリーズの検査情報およびシリーズ情報を比較して、前記処理対象のシリーズがインポート済みか否かを判定する請求項5または請求項6に記載された画像入力装置。
【請求項８】
前記第三の判定手段は、前記処理対象のシリーズがインポート済みと判定した場合、前記処理対象のシリーズに対応する前記インポートリストの送信フラグをリセットして、前記シリーズの医用画像データのインポートを禁止する請求項7に記載された画像入力装置。
【請求項９】
前記制御手段は、以前インポート処理したメディアのコンテンツと同一ではないと判定されたメディアから読み出され、前記インポートフラグがセット状態の検査に含まれ、インポート済みではないと判定されたシリーズの医用画像データを前記医療用画像管理システムに送信する請求項8に記載された画像入力装置。
【請求項１０】
前記制御手段は、前記医療用画像管理システムに送信した医用画像データがある場合、前記インポートフラグがセット状態の検査の情報、および、前記検査に含まれ、前記送信フラグがセット状態のシリーズに関する情報からハッシュ値を計算し、前記ハッシュ値を前記履歴データベースに記録する請求項9に記載された画像入力装置。
【請求項１１】
医療用画像管理システムが管理する医用画像データをエクスポートするための画像出力装置であって、
医用画像データの送付先の情報、および、エクスポート処理する医用画像データの識別情報を入力する入力手段と、
前記識別情報に対応する医用画像データのリストを前記医療用画像管理システムから取得する取得手段と、
前記リストに含まれる医用画像データの付帯情報が示す検査の情報および前記送付先の情報に基づき履歴データベースを検索する検索手段と、
前記検査の情報および前記送付先の情報に一致する履歴が検出された場合、前記リストから前記検査に対応する付帯情報を削除する削除手段と、
前記リストに基づき前記医療用画像管理システムから取得した医用画像データをエクスポート処理する出力手段とを有する画像出力装置。
【請求項１２】
医療用画像管理システムに医用画像データをインポートするための画像入力方法であって、
第一の判定手段が、インポート処理する医用画像データが記録されたメディアのコンテンツが、以前インポート処理したメディアのコンテンツと同一か否かを判定し、
第二の判定手段が、前記インポート処理する医用画像データが記録されたメディアから読み込んだ医用画像データの付帯情報に、以前インポート処理した医用画像データの検査情報に一致する検査情報があるか否かを判定し、
第三の判定手段が、前記インポート処理する医用画像データが記録されたメディアに格納された医用画像データのシリーズを前記医療用画像管理システムが管理しているか否かを判定し、
制御手段が、前記第一から第三の判定手段の判定の結果に基づき前記インポート処理を実行する画像入力方法。
【請求項１３】
医療用画像管理システムが管理する医用画像データをエクスポートするための画像出力方法であって、
入力手段が、医用画像データの送付先の情報、および、エクスポート処理する医用画像データの識別情報を入力し、
取得手段が、前記識別情報に対応する医用画像データのリストを前記医療用画像管理システムから取得し、
検索手段が、前記リストに含まれる医用画像データの付帯情報が示す検査の情報および前記送付先の情報に基づき履歴データベースを検索し、
前記検査の情報および前記送付先の情報に一致する履歴が検出された場合、削除手段が、前記リストから前記検査に対応する付帯情報を削除し、
出力手段が、前記リストに基づき前記医療用画像管理システムから取得した医用画像データをエクスポート処理する画像出力方法。
【請求項１４】
コンピュータを請求項1から請求項11の何れか一項に記載された画像入力装置または画像出力装置の各手段として機能させるためのプログラム。
【請求項１５】
請求項14に記載されたプログラムが記録されたコンピュータが読み取り可能な記録媒体。
【発明の詳細な説明】
【技術分野】
【０００１】
本発明は、医療用画像管理システムにおける医用画像データのエクスポート、インポートに関する。
【背景技術】
【０００２】
医療機関から別の医療機関に患者を紹介する際など、当該患者の医用画像データを紹介先の医療機関に送付することがある。紹介元の医療機関は、当該医療機関の医療用画像管理システムから患者の医用画像データをエクスポートし、紹介先の医療機関は患者の医用画像データを当該医療機関の医療用画像管理システムにインポートする。なお、医用画像データの送付にはUSBメモリ、CD、DVDなどのメディアやネットワークが利用される。なお、以下では、医療用画像管理システムを「PACS (picture archiving and communication system)」と呼ぶ。
【０００３】
しかし、紹介先の医療機関のPACSには、送付されてきた医用画像データと同じ医用画像データが既に存在することがあり、その場合、医用画像データの重複インポートが発生する。重複インポートが発生すると、紹介先の医療機関のPACSのストレージ容量が無駄に消費されるだけでなく、患者の過去の医用画像を表示する場合に同じ医用画像が複数存在して、PACSの使い勝手が悪くなったり、診察に混乱を招く虞もある。
【０００４】
特許文献1は、医用画像データを識別するためのSOPインスタンスUIDにより、重複インポートを防ぐ発明を記載する。
【０００５】
DICOM (digital imaging and communication in medicine)規格によれば、DICOMファイルなどのSOP (service object pair)インスタンスを生成するモダリティの製造者は製造者IDを取得する。製造者はモダリティの利用者に固有のIDを割り当て、それらIDに基づき、モダリティがユニークなSOPインスタンスUIDを生成する。
【０００６】
しかし、インポート時にPACSが扱うことができる画像形式に医用画像データを変換する際にSOPインスタンスUIDを新規に生成してインポートする場合がある。このような医用画像データが他の医療機関から戻ってきた場合、同等の医用画像データでもSOPインスタンスUIDが異なる可能性がある。その結果、特許文献1の発明のようにSOPインスタンスUIDを用いるだけでは重複インポートを防ぐことができない。
【先行技術文献】
【特許文献】
【０００７】
【特許文献１】特開2009-271801号公報
【発明の概要】
【発明が解決しようとする課題】
【０００８】
本発明は、医用画像データの重複インポートを防ぐことを目的とする。
【課題を解決するための手段】
【０００９】
本発明は、前記の目的を達成する一手段として、以下の構成を備える。
【００１０】
本発明は、医療用画像管理システムに医用画像データをインポートする際に、インポート処理する医用画像データが記録されたメディアのコンテンツが、以前インポート処理したメディアのコンテンツと同一か否かを判定し、前記インポート処理する医用画像データが記録されたメディアから読み込んだ医用画像データの付帯情報に、以前インポート処理した医用画像データの検査情報に一致する検査情報があるか否かを判定し、前記インポート処理する医用画像データが記録されたメディアに格納された医用画像データのシリーズを前記医療用画像管理システムが管理しているか否かを判定し、三つの判定の結果に基づき前記インポート処理を実行する。
【００１１】
また、医療用画像管理システムが管理する医用画像データをエクスポートする際に、医用画像データの送付先の情報、および、エクスポート処理する医用画像データの識別情報を入力し、前記識別情報に対応する医用画像データのリストを前記医療用画像管理システムから取得し、前記リストに含まれる医用画像データの付帯情報が示す検査の情報および前記送付先の情報に基づき履歴データベースを検索し、前記検査の情報および前記送付先の情報に一致する履歴が検出された場合、前記リストから前記検査に対応する付帯情報を削除し、前記リストに基づき前記医療用画像管理システムから取得した医用画像データをエクスポート処理する。
【発明の効果】
【００１２】
本発明によれば、医用画像データの重複インポートを防ぐことができる。
【図面の簡単な説明】
【００１３】
【図１】DICOM規格に準拠する医用画像データのデータ構成を説明する図。
【図２】PACS、画像出力装置および画像入力装置の関係例を示すブロック図。
【図３】画像出力装置のエクスポート処理を説明するフローチャート。
【図４Ａ】画像入力装置のインポート処理を説明するフローチャート。
【図４Ｂ】画像入力装置のインポート処理を説明するフローチャート。
【図４Ｃ】画像入力装置のインポート処理を説明するフローチャート。
【図５】重複検査条件を設定するUIの一例を示す図。
【発明を実施するための形態】
【００１４】
以下、本発明にかかる実施例の画像入力装置、画像出力装置およびそれらの処理を図面を参照して詳細に説明する。
【００１５】
［医用画像データ］
医用画像データは、多くの場合、患者＞検査(study)＞シリーズ(series)＞画像という階層構造で整理される。つまり、一人の患者に複数の「検査」があり、一つの検査に複数の「シリーズ」が含まれ、さらに、一つのシリーズに複数の画像が含まれる。逆に、一つの医用画像データは、患者、検査およびシリーズの一つの組み合わせに含まれる。
【００１６】
医用画像データは、通常「検査」単位で取り扱われるため、患者を他の医療機関に紹介する際は、それまでに、紹介元の医療機関で撮影された複数の検査の医用画像データが一括して、紹介先の医療機関に送付される場合が殆どである。
【００１７】
図1によりDICOM規格に準拠する医用画像データ（以下、DICOM画像データ）のデータ構成を説明する。DICOM画像データは、患者情報、検査情報、シリーズ情報および画像情報を含む付帯情報、並びに、実画像データから構成される。
【００１８】
患者情報には、患者のID、氏名、生年月日、性別など患者を特定するための情報が記録される。検査情報には、検査を識別するための検査インスタンスUID、検査日時、受付または検査番号、担当医師などの検査に関する情報が記録される。シリーズ情報には、シリーズを識別するシリーズインスタンスUID、モダリティ、検査部位、シリーズ番号など、一つの検査において生成されるモダリティごとの一連の医用画像データの単位（シリーズ）に関する情報が記録される。画像情報には、画像を識別するSOPインスタンスUID、画像番号などの医用画像データに関する情報が記録される。
【００１９】
［システムの構成］
図2のブロック図によりPACS、画像出力装置および画像入力装置の関係例を示す。
【００２０】
医療機関10の画像出力装置11は、医療用画像管理システム(PACS)12が管理する患者の医用画像データをエクスポートするための装置（エクスポータ）である。画像出力装置11は、パーソナルコンピュータなどのコンピュータ機器にエクスポート用のプログラムを供給することで実現可能である。
【００２１】
医療機関20の画像入力装置21は、医用画像データをPACS22にインポートするための装置（インポータ）である。画像入力装置21は、パーソナルコンピュータなどのコンピュータ機器にインポート用のプログラムを供給することで実現される。
【００２２】
図2には医療機関10にエクスポータが、医療機関20にインポータが配置された例を示すが、医療機関10、20それぞれにエクスポータとインポータが配置されてもよい。
【００２３】
画像出力装置11と画像入力装置21の間の医用画像データの授受には、例えば、メディア13や、地域医療連携ネットワークやインターネットを介したVPNなどの外部ネットワーク14が利用される。
【００２４】
●画像出力装置
図3のフローチャートにより画像出力装置11のエクスポート処理を説明する。なお、エクスポート処理は、画像出力装置11のマイクロプロセッサ(CPU)がRAMをワークメモリとして実行する処理であり、図3はエクスポート処理の一回分に相当する。
【００２５】
画像出力装置11のオペレータは、画像出力装置11が提供するユーザインタフェイス(UI)を操作して、医用画像データの送付先の情報（例えば病院名）と、エクスポートすべき医用画像データを識別するための患者IDや検査に関する情報を入力する。そして、医用画像データのエクスポートを指示する。
【００２６】
画像出力装置11は、エクスポートすべき医用画像データの識別情報およびエクスポートの指示を入力する(S11)。そして、ローカルエリアネットワーク(LAN)16を介して、識別情報に対応する医用画像データのリスト（以下、送付リスト）をPACS12から取得する(S12)。なお、送付リストには、識別情報に対応する医用画像データの付帯情報が含まれる。
【００２７】
次に、画像出力装置11は、送付先の情報、および、送付リストの付帯情報から得られる検査に関する情報に基づき、後述するフィルタリング処理(S13-S15)を行う。以下では、送付先の情報および検査に関する情報を「エクスポート情報」と呼ぶ。エクスポート情報は、例えば病院名と検査インスタンスUIDのハッシュ値でもよい。
【００２８】
次に、画像出力装置11は、送付リストに基づきPACS12の画像サーバ17から医用画像データを取得し(S16)、取得した医用画像データをDICOM画像データとしてメディア13に記録する(S17)。あるいは、ユーザがDICOM画像データの送信を指定する場合、画像出力装置11は、外部ネットワーク14を介して、DICOM画像データを送付先の画像入力装置21に送信する(S17)。
【００２９】
DICOM画像データの、メディア13への記録または送信が完了すると、画像出力装置11は、送付先の情報、および、送付リストの付帯情報からエクスポート情報を作成する(S18)。そして、作成したエクスポート情報を、記録または送信が完了したDICOM画像データのエクスポート履歴として履歴データベース（履歴DB）15に記録し(S19)、エクスポート処理を終了する。
【００３０】
フィルタリング処理は、ステップS12において送付リストが取得された後に開始される。画像出力装置11は、エクスポート情報に基づき履歴DB15を検索して(S13)、エクスポート情報に一致するエクスポート履歴があるか否かを判定する(S14)。エクスポート情報に一致するエクスポート履歴を検出しなかった場合は処理をステップS16に進める。また、一致するエクスポート履歴を検出した場合は、エクスポート情報が示す検査に対応する付帯情報を送付リストから削除して(S15)、処理をステップS16に進める。
【００３１】
ステップS16では、送付リストの付帯情報に基づき画像サーバ17から医用画像データが取得される。従って、ステップS13-S15のフィルタリング処理により削除された付帯情報に対応する医用画像データがステップS16で取得されることはない。その結果、既送付の医用画像データを同じ送付先に再び送付する重複送付（重複エクスポート）を避け、送付先の医療機関において重複インポートが発生する可能性を低減することができる。
【００３２】
●画像入力装置
画像入力装置21の重複インポートの防止機能には次の三つの機能がある。
【００３３】
第一の機能は、メディアのコンテンツが、以前インポート処理したメディアのコンテンツと同じか否かを判定して、コンテンツが同じ場合は警告を発する。これは、オペレータがインポート処理済みのメディアを誤って画像入力装置21のドライブにセットした場合や、過去にインポートした医用画像データと同一の医用画像データが送付元から届いた場合への対処である。
【００３４】
第二の機能は、メディアから読み込んだDICOM画像データの付帯情報に、以前インポートした医用画像データの検査情報に一致する検査情報があるか否かを判定して、一致する検査情報がある場合は警告を発する。これは、画像出力装置11のような機能を備えない医療機関30のエクスポータによって、同一の患者について二回目以降の医用画像データの送付が行われた場合、インポート済みの検査の医用画像データが含まれている可能性が高いことへの対処である。
【００３５】
第三の機能は、メディアから読み込んだDICOM画像データのシリーズの情報をPACS22に照会して、PACS22が同じシリーズの医用画像データを管理している場合は警告を発する。これは、他のインポータによってPACS22にインポート済みの医用画像データの重複インポートを避けるためである。また、PACS22が管理する医用画像データが、エクスポートされ、他の医療機関を経由して、再び、医療機関20に送付されてくることがあり、そのような場合の重複インポートを避けるためである。
【００３６】
上記では、メディア13によってDICOM画像データの授受が行われる場合を説明し、以降も、メディア13によってDICOM画像データの授受が行われるとして説明を行う。しかし、外部ネットワーク14を介してDICOM画像データの授受が行われる場合も同様である。上記の説明であれば、「メディアのコンテンツ」を「外部ネットワークから受信したコンテンツ」、「メディアから読み込んだ」を「外部ネットワークから受信した」に置き換えればよい。
【００３７】
図4Aから図4Cのフローチャートにより画像入力装置21のインポート処理を説明する。なお、インポート処理は、画像入力装置21のマイクロプロセッサ(CPU)がRAMをワークメモリとして実行する処理であり、図4Aから図4Cはインポート処理の一回分に相当する。
【００３８】
画像入力装置21のオペレータは、メディア13を画像入力装置21のドライブにセットし、画像入力装置21が提供するUIを操作して、医用画像データのインポートを指示する。
【００３９】
画像入力装置21は、インポートの指示が入力されると(S31)、メディア13の形式を判定する(S32)。具体的には、メディア13のルートフォルダにDICOMDIRファイルが存在するか否かを判定する。DICOMDIRファイルが存在する場合はPDIメディアと判定し、DICOMDIRファイルが存在しない場合は非PDIメディアと判定する。なお、PDIメディアは、IHE (Integrating the Healthcare Enterprise)プロジェクトが提唱するPDI (portable data for imaging)統合プロファイル準拠のメディアのことである。
【００４０】
次に、画像入力装置21は、メディア13からハッシュ値を計算する(S33)。PDIメディアの場合は、DICOMDIRファイルのハッシュ値を計算する。非PDIメディアの場合は、メディア13のルートにあるフォルダについてフォルダ名と作成日時、並びに、ルートにあるファイルについてファイル名、作成日時、ファイルサイズを含むテキストデータを作成する。そして、そのテキストデータのハッシュ値を計算する。なお、テキストデータの作成に使用するフォルダは例えば最大10フォルダに、ファイルは例えば最大10ファイルに制限する。また、ハッシュ値の計算にはMD5 (message digest algorithm 5)などのアルゴリズムを使用すればよい。
【００４１】
次に、画像入力装置21は、メディア13の使用容量をメディアサイズとして取得する(S34)。そして、ハッシュ値とメディアサイズ（以下、メディア情報）に基づき履歴DB25を検索して(S35)、メディア情報に一致するメディア履歴があるか否かを判定する(S36)。
【００４２】
メディア情報に一致するメディア履歴を検出しなかった場合、画像入力装置21は、メディア情報をメディア履歴として履歴DB25に記録して(S37)、処理をステップS40に進める。
【００４３】
一方、メディア情報に一致するメディア履歴を検出した場合、画像入力装置21は、例えば「このメディアは以前に読み込みました。インポートを続けますか？」のような警告メッセージを含む通知ダイアログをUIに表示する(S38)。そして、インポート処理の継続の可否を示すオペレータの指示を判定して(S39)、インポートの継続が指示された場合は処理をステップS40に進め、インポートの中止が指示された場合はインポート処理を終了する。
【００４４】
このように、ステップS32からS39の処理が第一の重複インポート防止機能に相当する。
【００４５】
次に、画像入力装置21は、メディア13からコンテンツを読み込み(S40)、付帯情報に基づき、メディア13からインポートする医用画像データの検査とシリーズをリストしたインポートリストを作成する(S41)。さらに、インポートリストの検査ごとに、付帯情報に基づき次の情報を含むテキストデータを作成して、各検査に対応するテキストデータのハッシュ値（以下、検査ハッシュ値）を計算する(S42)。
検査インスタンスUID
シリーズインスタンスUID
シリーズの画像数
【００４６】
次に、画像入力装置21は、検査ハッシュ値に基づき履歴DB25を検索して(S43)、検査ハッシュ値に一致する検査ハッシュ値履歴が記録されているか否かを判定する(S44)。
【００４７】
一致する検査ハッシュ値履歴を検出した場合、画像入力装置21は、その検査ハッシュ値に対応する検査の医用画像データが既にインポートされていると判断し、当該検査に対応するインポートリストのインポートフラグをリセットする(S45)。
【００４８】
インポートリストの作成当初において、各検査に対応するインポートフラグはセット状態にある。画像入力装置21は、ステップS44の判定により、重複インポートが発生すると判断した検査に対応するインポートフラグをリセットして、当該検査の医用画像データのインポートを禁止する。
【００４９】
このように、ステップS40からS45の処理が第二の重複インポート防止機能に相当する。
【００５０】
次に、画像入力装置21は、インポートリストに基づき、インポートフラグがセット状態の検査に含まれるシリーズごとに、インポート済みか否かの判定を含むインポート処理を繰り返す。まず、処理対象のシリーズの患者IDと検査日をキーとして、PACS22の画像サーバ27に保存された検査情報およびシリーズ情報を照会し(S46)、画像サーバ27から照会結果が返されたか否かを判定する(S47)。
【００５１】
照会先の画像サーバ27は、DICOMのクエリ/リトリーブSCP (service class provider)機能を有し、照会に対応する情報が存在する場合、次の情報の一つ以上を照会結果として返す。
検査情報：検査インスタンスUID
検査日
検査時刻
検査番号
シリーズ数
シリーズ情報：シリーズインスタンスUID
モダリティ
検査部位
シリーズ番号
画像数
【００５２】
照会結果が返された場合、画像入力装置21は、処理対象のシリーズの検査情報およびシリーズ情報と、照会結果に含まれる検査情報およびシリーズ情報を比較する(S48)。そして、比較結果が後述する重複検査条件を満たす場合(S49)、処理対象のシリーズがインポート済みと判断して、当該シリーズに対応するインポートリストの送信フラグをリセットする(S50)。
【００５３】
また、比較結果が重複検査条件に一致しない場合、または、画像サーバ27から照会結果が返されない場合、画像入力装置21は、処理対象のシリーズが未インポートと判断する。そして、当該シリーズの医用画像データを画像サーバ27に送信する(S51)。
【００５４】
次に、画像入力装置21は、インポートフラグがセット状態の検査が含む全シリーズについてステップS46からS51の処理を行ったか否かを判定する(S52)。未処理のシリーズがある場合は、処理対象のシリーズを変更して処理をステップS46に戻す。
【００５５】
このように、ステップS46からS51の処理が第三の重複インポート防止機能に相当する。
【００５６】
インポートフラグがセット状態の検査が含む全シリーズについてステップS46からS51の処理が終了すると、画像入力装置21は、送信した医用画像データがあるか否かを判定する(S53)。送信した医用画像データがない場合はインポート処理を終了する。また、送信した医用画像データがある場合は検査ハッシュ値を計算し(S54)、計算した検査ハッシュ値を検査ハッシュ値履歴として履歴DB25に記録し(S55)、インポート処理を終了する。
【００５７】
つまり、画像入力装置21は、インポートフラグがセット状態の検査の情報、および、当該検査に含まれ、送信フラグがセット状態のシリーズの情報に基づき、ステップS42と同様に検査ハッシュ値を計算し、履歴DB25を更新する。
【００５８】
●重複検査条件
図5により重複検査条件を設定するUIの一例を示す。
【００５９】
医療機関の運用やインポータの種類によって、検査インスタンスUIDやシリーズインスタンスUIDが変更されて医用画像データがインポートされたり、検査日がインポート日に変更される場合がある。そのため、画像入力装置21が設置される医療機関の事情に合わせて、重複検査条件を設定する必要がある。
【００６０】
オペレータまたは装置の設置者は、図5に示すUIを操作して、画像サーバ27から返される照会結果に含まれる情報のうち、重複検査条件に使用する情報や情報の組み合わせを設定する。
【００６１】
図5に示す「一致条件１」例は、検査情報の項目のうち「検査インスタンスUID」「検査日」「シリーズ数」を重複検査条件として使用し、シリーズ情報の項目のうち「シリーズインスタンスUID」「画像数」を重複検査条件として使用する例を示している。つまり、選択された項目について、注目するシリーズの検査情報およびシリーズ情報と、照会結果に含まれる検査情報およびシリーズ情報を比較して、選択された項目のすべてについて一致した場合、重複検査条件を満たしインポート済みと判断される。
【００６２】
図5に示すUIは、三つの重複検査条件（一致条件１から３）を設定可能であり、それら一致条件の何れか一つ、または、それら一致条件を複合的に使用可能にするためのラジオボタンが備わる。例えば、図5の例においては「一致条件２」として、検査情報の項目のうち「検査日」「シリーズ数」が選択され、シリーズ情報の項目のうち「画像数」だけが選択されている。ラジオボタンにより「一致条件２」の使用が設定されると、上記の比較により「検査日」「シリーズ数」「画像数」が一致すれば、重複検査条件を満たしインポート済みと判断される。
【００６３】
このように、三つの重複インポート防止機能により、PACS22への医用画像データのインポート処理を制御して、重複インポートを防ぐ。そのため、SOPインスタンスUIDに基づく重複インポートの防止に比べて、より確実に重複インポートを防ぐことができる。
【００６４】
●インポートリスト
インポートリストは画像入力装置21のUIに表示され、オペレータは各検査のインポートフラグの状態および各シリーズの送信フラグの状態をいつでも確認することができる。オペレータは、必要に応じてUIを操作し、各検査のインポートフラグの状態や各シリーズの送信フラグの状態を変更することが可能である。
【００６５】
例えば、画像入力装置21によってインポートが禁止された検査やシリーズの医用画像データのインポート禁止状態を、UIの操作により解除して、それら医用画像データのインポート処理を画像入力装置21に実行させることが可能である。
【００６６】
あるいは、画像入力装置21によってインポートが禁止されなかった検査やシリーズの医用画像データのインポート許可状態を、UIの操作により変更して、それら医用画像データのインポート処理を禁止することが可能である。例えば、シンスライスなどの画像数が多いシリーズをインポートの対象から外すことができる。
【００６７】
［変形例］
図2には、履歴DB15が画像出力装置11から独立して、履歴DB25が画像入力装置21から独立して、それぞれLAN16、26上に存在する例を示した。しかし、履歴DB15が画像出力装置11内に、履歴DB25が画像入力装置21内に存在してもよい。
【００６８】
履歴DB15に記録されるエクスポート履歴には、エクスポート日時、エクスポートを指示したオペレータ、送付方法およびフィルタリング結果などの情報を含めることができる。
【００６９】
また、履歴DB25には、インポート処理の結果をインポート履歴として記録することができる。インポート履歴には、メディア履歴および検査ハッシュ値履歴などへのリンク、照会結果、インポートを指示したオペレータおよび送付方法（受領方法）などの情報を含めることができる。
【００７０】
また、外部ネットワーク14を介してDICOM画像データを受信した場合は、第一の重複インポート防止機能の処理において、メディア情報の代わりに受信情報、メディア履歴の代わりに受信履歴、メディアサイズの代わりに受信データサイズを使用する。
【００７１】
また、医用画像データの送付用のメディア13として、SD（商標）メモリカード、USB (Universal Serial Bus)メモリ、CD (Compact Disc)、DVD (Digital Versatile Disc)、BD（Blu-ray(登録商標) Disc）などの記録媒体が利用可能である。
【図１】
2015099561.tif 000003
【図２】
2015099561.tif 000004
【図３】
2015099561.tif 000005
【図４Ａ】
2015099561.tif 000006
【図４Ｂ】
2015099561.tif 000007
【図４Ｃ】
2015099561.tif 000008
【図５】
2015099561.tif 000009